(57)【要約】【課題】遊戯機における障害釘の周面に接離させる釘間隔測定用の開閉アームの動きを阻害する無用な機械的負荷を無くし、肝心の釘間隔を精確かつ、容易に測定表示可能とすること。【解決手段】釘間隔測定具３における固定アーム４の先端に所定出面寸法Ｌの板当て突部４Ａと前記各障害釘２に跨がり接離する釘橋絡片４Ｂを突設し、前記開閉アーム５の外側に突設した釘当て突面５ａを固定アーム４の外側に突設した釘当て突面４ａと共に各障害釘２の対向周面２Ａに弾接させて開閉アーム５の弾接ポイントとして定めるとともに、この開閉アーム５に配設した可動光源Ｂからのビーム光を無接触で受ける光源位置センサＰから前記弾接ポイントに対応した釘間隔データ信号Ｓ１を検出し、この信号を演算処理して得た釘間隔計数信号Ｓ２で現字表示体Ａを制御することで、二本の障害釘２の内法間隔Ｄを前記表示体Ａで数値表示可能となした。【選択図】  図１
2004317287.tif 000002
【特許請求の範囲】
【請求項１】
遊戯機におけるセル板面１に植設した二本の障害釘２の内法間隔Ｄをほぼピストル状の釘間隔測定具３により測定する装置において、前記釘間隔測定具３の先端に前記各障害釘２に接離させる固定アーム４と開閉アーム５とを対向突設し、これら各アーム４・５のうち、固定アーム４の先端には、所定出面寸法Ｌの板当て突部４Ａを突設するとともに、前記固定アーム４の先端近傍における上下ほぼ二分点には、前記各障害釘２に跨がり接離する釘橋絡片４Ｂを突設し、また前記開閉アーム５の先端近傍には、上記釘橋絡片４Ｂを通す横溝５Ａを形成し、この開閉アーム５の外側に突設した釘当て突面５ａを固定アーム４の外側に突設した釘当て突面４ａと共に各障害釘２の対向周面２Ａに弾接させることで、開閉アーム５の弾接ポイントとして定め、この開閉アーム５に配設した可動光源Ｂからのビーム光を無接触で受ける光源位置センサＰから前記弾接ポイントに対応した釘間隔データ信号Ｓ１を検出し、この信号を演算処理して得た釘間隔計数信号Ｓ２で現字表示体Ａを制御することで、二本の障害釘２の内法間隔Ｄを前記表示体Ａで数値表示可能となした遊戯機における釘間隔測定装置。
【請求項２】
前記開閉アーム５を前記固定アーム４に対して平行ガイド部材６により平行開閉可能に、しかもばね部材７およびストッパ８により常には、前記固定アーム４に対して所定間隔開いた状態で定位可能に配設し、この開閉アーム５を前記釘間隔測定具３に設けたトリガ部材９の操作で進退するカム部材１０により、前記ばね部材７の弾力に抗して閉じた状態で前記各アーム４・５の各釘当て突面４ａ・５ａをそれぞれ前記各障害釘２の対向周面２Ａの間に挿入した後、前記トリガ操作の解除により前記開閉アーム５を前記ばね部材７の弾力で開いてこの開閉アーム５の釘当て突面５ａを固定アーム４の釘当て突面４ａと共に各障害釘２の対向周面２Ａに弾接可能としたことを特徴とする請求項１に記載の遊戯機における釘間隔測定装置。
【請求項３】
前記現字表示体Ａの表示面を釘間隔測定具３の外面に配置することで、前記各障害釘２の内法間隔Ｄを釘間隔測定具３の外面で数値表示可能となした請求項１または請求項２に記載の遊戯機における釘間隔測定装置。
【請求項４】
前記釘間隔測定具３をカバー部材１１で前記現字表示体Ａの表示面および前記各アーム４・５とトリガ部材９とを除いて隠蔽してなる請求項３に記載の遊戯機における釘間隔測定装置。
【請求項５】
前記開閉アーム５にプーリ１２を設け、このプーリを前記カム部材１０のカム面１０Ａに転接させ、開閉アーム５をトリガ部材９の操作で変位可能となした請求項１から請求項４までのいずれか一つの請求項に記載の遊戯機における釘間隔測定装置。
【請求項６】
前記固定アーム４の前寄り上面に水準器１４を外部から目視可能に配置してなる請求項１から請求項５までのいずれか一つの請求項に記載の遊戯機における釘間隔測定装置。
【請求項７】
遊戯機におけるセル板面１に植設した二本の障害釘２の内法間隔Ｄをほぼピストル状の釘間隔測定具３により測定するに当たり、前記釘間隔測定具３の先端に対向突設した固定アーム４と開閉アーム５のうち、固定アーム４の先端に突設した所定出面寸法Ｌ（遊戯機使用球半径程度）の板当て突部４Ａを前記セル板面１に当接し、この固定アーム４の先端近傍における上下ほぼ二分点に突設した釘橋絡片４Ｂで前記各障害釘２を橋絡し、前記開閉アーム５の外側に突設した釘当て突面５ａを固定アーム４の外側に突設した釘当て突面４ａと共に各障害釘２の対向周面２Ａに弾接して各釘当て突面４ａ・５ａの障害釘２に対する弾接ポイントとして定めることで、開閉アーム５に配設した可動光源Ｂからのビーム光を無接触で受ける光源位置センサＰから前記弾接ポイントに対応した釘間隔データ信号Ｓ１を検出し、この信号を演算処理して得た釘間隔計数信号Ｓ２で現字表示体Ａを制御することで、二本の障害釘２の内法間隔Ｄを前記表示体Ａで数値表示可能となした遊戯機における釘間隔測定方法。
【請求項８】
遊戯機における二本の障害釘２の内法間隔Ｄを測定するに当たり、前記開閉アーム５を閉じた状態で、前記所定出面寸法Ｌの板当て突部４Ａを遊戯機のセル板面１に軽く突き当て、前記各釘当て突面４ａ・５ａを上記寸法Ｌ（パチンコ遊戯機の場合、その使用球半径である約５．５ｍｍ程度）だけ前記セル板面１から離隔させた状態で、固定アーム４の釘橋絡片４Ｂを前記各障害釘２を跨いでその上面に当てがい接触させながら、前記各アーム４・５の各釘当て突面４ａ・５ａをそれぞれ前記各障害釘２の対向周面２Ａの間に挿入した後、この開閉アーム５の釘当て突面５ａを固定アーム４の釘当て突面４ａと共に各障害釘２の対向周面２Ａに弾接させることで、前記所定出面寸法Ｌに対応したセル板面１から離隔した球の落下通路における前記内法間隔Ｄにマッチした二本の障害釘２に対する各釘当て突面４ａ・５ａの弾接ポイントとして定めることを特徴とする請求項７に記載の遊戯機における釘間隔測定方法。
【請求項９】
遊戯機における前記二本の障害釘２の内法間隔Ｄを測定するに当たり、前記開閉アーム５として、前記固定アーム４に対して平行ガイド部材６により、平行開閉可能にかつ、ばね部材７およびストッパ８で常には、所定間隔開いた状態で定位可能となした開閉アーム５を用い、この開閉アーム５を前記釘間隔測定具３に設けたトリガ部材９の操作により、カム部材１０を介して前記ばね部材７の弾力に抗し閉じた状態で、前記各釘当て突面４ａ・５ａをそれぞれ前記各障害釘２の対向周面２Ａの間に挿入した後、前記トリガ操作の解除により前記開閉アーム５を前記ばね部材７の弾力で開くことで、前記各釘当て突面４ａ・５ａ前記各障害釘２の対向周面２Ａに弾接させることを特徴とする請求項７または請求項８に記載の遊戯機における釘間隔測定方法。
【発明の詳細な説明】
【０００１】
【発明の属する技術分野】
本発明は、遊戯機における釘間隔測定装置と釘間隔測定方法に係り、特にパチンコ遊戯機や雀球遊戯機とかスマートボール遊戯台などにおけるセル板に植設した複数の障害釘の間隔測定装置と釘間隔測定方法に関する。
【０００２】
【従来の技術】
パチンコ遊戯機における二本の障害釘の間隔確認作業は、出玉率に直接係わる極く精密かつ、面倒でも重要な作業である。
このため、従来、特許第３０１０５４３号公報、特許第３０８４５６０号公報および特開平１０−４３３７４号公報記載のように、遊戯機における二本の障害釘の内法間隔を測定するに当たり、ほぼピストル状の釘間隔測定具の先端に突設した二本一対の回動アームを前記釘間隔測定具に設けたトリガ部材の操作により閉じた状態で前記各障害釘の対向周面の間に挿入した後、前記トリガ操作の解除により前記各アームを開いて各アームの先端を各障害釘の対向周面に弾接させて、ロータリーエンコーダを介して二本の障害釘の内法間隔を測定できるとした釘間隔測定装置が周知である。
【０００３】
【発明が解決しようとする課題】
これら各従来例における肝心の回動アームの回動変位角に対応して前記ロータリーエンコーダを回動させる点について吟味すると、前記各従来例公報中、唯一の具体的な記載例によれば、回動アームの変位を先ず、このアームのラック部分に噛合した平ギヤの回転変位量に機械的に変換し、この平ギヤの回転力でロータリーエンコーダの駆動軸を機械的に回動させることで、上記平ギヤの回転変位量を電気信号変化量に変換し、この変化信号の演算処理信号で前記二本の障害釘の内法間隔を測定できるとした釘間隔測定装置である。
したがって、これら各従来例には、肝心の回動アームの動きを阻害するギヤ組とかロータリーエンコーダなどの機械的負荷や上記ギヤの噛合間隙などによる機械的な誤差とか不安定要素が多く存在しているし、メカ的に構成複雑で部品点数も多いため、その組立製造・部品管理・販売・使用・保守点検などのすべての面で扱い辛く不便で面倒であるという本質的かつ、大きな問題点が有る。
【０００４】
また、偏平箱状の釘間隔測定具内の対物レンズとＣＣＤ撮像素子とを用いて二本の障害釘の間隔を測定表示できるとした特開２００１−２１２２９４号公報も有るが、この公報には、釘間隔測定用回動アームにおける測定マーカを上記ＣＣＤ撮像素子でビデオカメラ式に撮像する過程の記載が有るだけで、撮像済映像から実際にどのようにして釘間隔測定結果を表示できるのかという肝心な電気的プロセスの記載が何もなく、単なる願望事項の記載に止まり、全体的に漠としていて著しく不明な点が多い本質問題が有る公開公報であって、これで果して二本の障害釘の内法間隔を測定表示できるかどうか極めて疑わしい従来例である。
【０００５】
この発明は、上記従来例公報記載の多くの問題点をすべて除去するために、遊戯機における障害釘の対向周面に接離させる釘間隔測定用の開閉アームの動きを阻害する無用な機械的負荷を無くし、肝心の釘間隔を精確かつ、容易に測定表示可能とすることを目的とする。
【０００６】
【課題を解決するための手段】
上記した本発明の目的は、遊戯機における二本の障害釘の内法間隔をほぼピストル状の釘間隔測定具により測定する釘間隔測定装置を構成するに当たり、前記釘間隔測定具の先端に前記各障害釘に接離させる固定アームと開閉アームとを対向突設し、これら各アームのうち、固定アームの先端には、所定出面寸法の板当て突部を突設し、前記固定アームの先端近傍における上下ほぼ二分点には、前記各障害釘に跨がり接離する釘橋絡片を突設し、また前記開閉アームには、上記釘橋絡片を通す横溝を形成し、この開閉アームの外側に突設した釘当て突面を固定アームの外側に突設した釘当て突面と共に各障害釘の対向周面に弾接させ、開閉アームの弾接ポイントとして定めることで、このアームに配設した可動光源からのビーム光を無接触で受けるＣＣＤ素子などを用いた光源位置センサから前記弾接ポイントに対応した釘間隔データ信号を検出し、この信号を演算処理して釘間隔計数信号に変換後、現字表示体を制御することで各障害釘の内法間隔を前記表示体で数値表示可能となしたことで達成できた。
なお、前記現字表示体の表示面を釘間隔測定具の外面に配置して前記内法間隔を釘間隔測定具で数値表示可能とすることもでき、また前記釘間隔測定具をカバー部材で現字表示体の表示面および前記各アームおよびトリガ部材を除いて隠蔽してもよく、さらに前記開閉アームにプーリを設け、このプーリを前記カム部材に転接させ、開閉アームをトリガ部材の操作で変位可能となしてもよい。
【０００７】
【発明の実施の形態】
本発明の実施の形態のうち、先ず、本発明の基本的な形態例を説明する。
本発明の基本的な形態は、パチンコ遊戯機や雀球遊戯機とかスマートボール遊戯台などにおける図１のようなセル板面１に植設した二本の障害釘２の内法間隔Ｄ（パチンコ遊戯機では１１〜１３ｍｍ程度）を同図１および図２のようなほぼピストル状の釘間隔測定具３により測定する釘間隔測定装置を構成するに当たり、本発明では先ず、前記釘間隔測定具３の先端に上記各図のように前記各障害釘２の対向周面２Ａに接離させる固定アーム４と開閉アーム５とを対向突設し、これら各アームの先端近傍の各外側面には、出面寸法が２〜５ｍｍ程度の外側突出の釘当て突面４ａ・５ａをそれぞ突設し、これら各アームのうち、固定アーム４の先端には、所定出面寸法Ｌ（パチンコ遊戯機用としては、使用球半径である約５．５ｍｍ程度）のセル板当て突部４Ａを突設するとともに、固定アーム４の先端近傍における上下ほぼ二分点には、前記各障害釘２にその鉛直方向（上または下）から跨いで当てがう釘橋絡片４Ｂを突設し、また前記開閉アーム５の先端近傍における上下ほぼ二分点には、上記釘橋絡片４Ｂを通す横溝５Ａを形成し、この開閉アーム５は、図３のように前記固定アーム４に対して平行ガイド部材６により図４および図５のように平行開閉可能に、しかもばね部材７およびストッパ８により常には、前記固定アーム４に対して図４のように所定間隔開いた状態で定位可能に配設する。
【０００８】
次いで、前記釘間隔測定具３の前方下部に図６および図７のように枢軸９Ａで中間部を枢支して設けたトリガ部材９の上部には斜面付きのカム部材１０を設けるとともに、そのカム面１０Ａに転接するプーリ１２を上記各図のように前記開閉アーム５に設け、この開閉アーム５を前記ばね部材７の弾力に抗して図７のように閉じた状態で、前記各アーム４・５の前記各釘当て突面４ａ・５ａをそれぞれ前記各障害釘２の対向周面２Ａの間に図５のように挿入した後、前記トリガ操作の解除により、前記開閉アーム５を前記ばね部材７の弾力で開き、この開閉アーム５の外側に突設した釘当て突面５ａを固定アーム４の外側に突設した釘当て突面４ａと共に各障害釘２の対向周面２Ａに図１・図８および図９のように弾接可能に弾接させることで、開閉アーム５の弾接ポイントを定めるようにする。
【０００９】
そして、前記開閉アーム５に図４および図１０のように下向きに配設した凸レンズ付き発光ダイオードなどの可動光源Ｂからのビーム光を無接触で受け、その位置を一連のシーケンスで電気的に検出可能にプログラム構成したチャージ・カップル・デバイス（ＣＣＤ素子構成体）などによる図１０のような光源位置センサＰから、上記弾接ポイントに対応して信号時間幅が図１１（ａ）のように前記内法間隔Ｄの範囲内で変化する釘間隔データ信号Ｓ１を検出し、このデータ信号Ｓ１を周知手段で演算処理して図１１（ｂ）のような釘間隔計数信号Ｓ２に変換後、この計数信号Ｓ２により液晶表示パネルなどの図２のような現字表示体Ａを駆動制御することで、二本の障害釘２の内法間隔Ｄを前記表示体Ａで同図２のように数値表示可能となした本発明による釘間隔測定装置を構成する。
【００１０】
ただし、上記図１１（ａ）における符号Ｐ１は、開閉アーム５の全閉ポイントであり、また符号Ｐ２は全開ポイントである。さらに符号Ｔは、前記トリガ部材９の解除操作開始直後にトリガスイッチＳにより、微分回路等周知手段で発生させるようにしたトリガパルスであり、このパルスＴを始点として前記釘間隔データ信号Ｓ１を発生させるのであるが、その持続時間幅は前記内法間隔Ｄの範囲内で前記弾接ポイントに対応して前記のように変化するようにし、このデータ信号Ｓ１に対応して前記釘間隔計数信号Ｓ２のパルス数が変化するように光源位置センサＰや演算処理回路をそれぞれ周知のプログラム制御手段で構成する。
【００１１】
なお、図２における符号ＳＷで示す部分は手動電源スイッチ、また各図における符号Ｎで示すものは、前記各部材を図３の固定ねじｎで所定の配置に組立てる固定部材であり、符号９Ｂで示す部分はトリガ部材９の枢支部９Ｃを前記枢軸９Ａで枢支する枢支孔、さらに符号９Ｄで示すものはトリガ部材９の復帰用蔓巻きばねであり、また図１０における符号１３で示すものは、前述したトリガ引き操作で可動光源Ｂと共に矢示方向に動く小孔１３Ａ付きの外光遮断板である。
前記各機構部材は、金属等の強靱材で精度よく作り、また前記釘間隔測定具３を図３のようなプラスチックカバー部材１１で現字表示体Ａの表示面および前記各アーム４・５およびトリガ部材９を除いて図２のように隠蔽してもよい。
さらに、図２・図３における符号１４で示すものは、前記各アーム４・５を釘間隔測定時に水平に保持し易くするための油泡式などの水準器である。
【００１２】
本発明の構成は以上のようなもので、以下その動作例につき説明する。
遊戯機における前記二本の障害釘２の内法間隔Ｄを測定するには、先ず前記開閉アーム５を前記トリガ部材９の引き操作により図５・図７のように閉じた状態で、前記所定出面寸法Ｌの板当て突部４Ａを遊戯機のセル板面１に図５のように軽く突き当て、前記各釘当て突面４ａ・５ａを上記寸法Ｌ（パチンコ遊戯機の場合、その使用球半径である約５．５ｍｍ程度）だけ前記セル板面１から離隔させた状態で、固定アーム４の釘橋絡片４Ｂを前記各障害釘２を跨いでその上面に上記各図のように当てがい接触させながら、前記各アーム４・５の各釘当て突面４ａ・５ａをそれぞれ前記各障害釘２の対向周面２Ａの間に図２のように挿入した後、前記トリガ操作を解除することで、前記開閉アーム５を前記ばね部材７の弾力で図１・図８および図９のように開けることができ、この開閉アーム５の釘当て突面５ａを固定アーム４の釘当て突面４ａと共に各障害釘２の対向周面２Ａに上記各図のように弾接させ、前記釘橋絡片４Ｂとセル板面１との間隔を左右均等に保持することで、パチンコ遊戯機の場合、その使用球半径である約５．５ｍｍ程度セル板面１から離隔した球の落下通路における前記内法間隔Ｄにマッチした二本の障害釘２に対する開閉アーム５の弾接ポイントを定めることができる。
【００１３】
したがって、上記開閉アーム５に配置した可動光源Ｂからのビーム光を受ける前記光源位置センサＰから前記内法間隔Ｄの範囲内で信号持続時間幅が変化する図１１（ａ）のような前記弾接ポイントに対応した釘間隔データ信号Ｓ１を得ることができ、このデータ信号Ｓ１を前述のように演算処理して図１１（ｂ）のような釘間隔計数信号Ｓ２に変換後、この計数信号Ｓ２で現字表示体Ａを前述のように駆動制御することで、二本の障害釘２の内法間隔Ｄを前記表示体Ａで図２のように数値表示することができた。
【００１４】
【実施例】
前記可動光源Ｂは、トリガ部材９のトリガ操作で開閉するスイッチ（図示せず）で所望時だけ点滅させるようにしてもよく、前記カバー部材１１内には、電源電池を内装してもよく、また現字表示体Ａは、釘間隔測定具３の外部にリード線を介して別に配置してもよいが、現字表示体Ａの表示面を前記のように釘間隔測定具３の外面に配置すれば、前記各障害釘２の内法間隔Ｄを釘間隔測定具３自体の外面で数値表示可能とすることもでき、また前記開閉アーム５に回転プーリ１２を設け、このプーリ１２を前記カム部材１０のカム面１０Ａに転接させ、開閉アーム５をトリガ部材９の操作で変位可能となしてもよい。
【００１５】
【発明の効果】
本発明は、以上のような形態を採用したので、以下に記載の効果を奏する。
この発明における請求項１、請求項７および請求項８の各発明によれば、遊戯機における二本の障害釘２の内法間隔Ｄを測定するに当たり、前記開閉アーム５を閉じた状態で、その板当て突部４Ａを遊戯機のセル板面１に軽く突き当て、前記各釘当て突面４ａ・５ａを上記突部４Ａの出面寸法Ｌだけ前記セル板面１から離隔させた状態で、固定アーム４の釘橋絡片４Ｂを前記各障害釘２を跨いでその上面に当てがい接触させながら、前記各アーム４・５の各釘当て突面４ａ・５ａをそれぞれ前記各障害釘２の対向周面２Ａの間に挿入した後、この開閉アーム５の釘当て突面５ａを固定アーム４の釘当て突面４ａと共に各障害釘２の対向周面２Ａに弾接させることで、前記所定出面寸法Ｌに対応したセル板面１から離隔した使用球の落下通路における前記内法間隔Ｄにマッチした二本の障害釘２に対する開閉アーム５の弾接ポイントを得るとともに、この開閉アーム５に配置済の前記可動光源Ｂからのビーム光を受ける前記光源位置センサＰから前記弾接ポイントに対応した釘間隔データ信号Ｓ１を得ることができ、このデータ信号Ｓ１を前述のように演算処理して釘間隔計数信号Ｓ２に変換後、この計数信号Ｓ２で現字表示体Ａを前述のように駆動制御することで、二本の障害釘２の内法間隔Ｄを前記表示体Ａで精確かつ、容易に数値表示することができた。
【００１６】
したがって、前記各発明によれば、開閉アーム５に配設した可動光源Ｂからのビーム光を受ける前記光源位置センサＰから前記弾接ポイントに対応した釘間隔データ信号Ｓ１をメカ的に無接触で検出することができるので、前記従来例におけるギヤ組とかロータリーエンコーダなどの可動アームの動きを阻害する機械的負荷を本発明では全く不要にできるとともに、上記エンコーダやギヤの噛合ムラ・噛合間隙などによる機械的・電気的な誤差も本発明では生じないから、本発明は、前記各従来例よりもメカ的にも電気的にも格段に安定かつ、精密に各部の動作を達成でき、肝心の釘間隔測定結果を極く精確迅速かつ、容易に現字表示することができたし、本発明では前記各従来例に比べ、全体的な構成を簡素化できたので、その組立製造・部品管理・販売・使用・保守点検などのすべての面で扱い易く、価格的にも有利になったという優れた効果が有る。
【００１７】
この発明における請求項２および請求項９の各発明によれば、前記諸効果に加えて、前記開閉アーム５を釘間隔測定具３に設けたトリガ部材９で開閉制御できるから、釘間隔測定操作性が大幅に向上したという効果を付加できたし、請求項３の発明では、前記現字表示体Ａの表示面を釘間隔測定具３の外面に配置したので、前記各障害釘２の内法間隔Ｄを測定具３の外面で数値表示可能となった。
また、請求項４の発明のように、前記釘間隔測定具３をカバー部材１１で前記各アーム４・５、前記現字表示体Ａの表示面およびトリガ部材９を除いて隠蔽すれば、扱い易く見栄えのよい釘間隔測定装置とすることができ、請求項５の発明のように、前記開閉アーム５にプーリ１２を設け、このプーリを前記カム部材１０のカム面１０Ａに転接させたことで、開閉アーム５を一層円滑に開閉できる釘間隔測定装置となし得たという効果を付加でき、また、この発明における請求項６の発明のように、前記固定アーム４の前寄り上部に油面気泡式などの水準器１４を外部から見えるように配置すれば、釘間隔測定時に前記各アーム４・５を水平に保持し易くできるので、より一層精確な釘間隔測定が容易に実行できるという効果を付加できた
【図面の簡単な説明】
【図１】本発明装置の使用形態例を示す全体的な斜視図
【図２】本発明装置の外観形態例を示す要部透視の斜視図
【図３】本発明による釘間隔測定具の分解例を示す斜視図
【図４】本発明による釘間隔測定具の一例を示す平面図
【図５】本発明による釘間隔測定具の使用例を示す平面図
【図６】図４に示すものの斜視図
【図７】図６に示すものと状態を異にした斜視図
【図８】図１に示すものを反対方向から見た斜視図
【図９】図８に示すものの平面図
【図１０】本発明による釘間隔測定具の要部横断立面図
【図１１】本発明による釘間隔データ信号と釘間隔計数信号の一例を示す波形図
【符号の説明】
１    遊戯機におけるセル板面
２    セル板面に植設した障害釘
２Ａ  二本の障害釘の対向周面
３    釘間隔測定具
４    固定アーム
４Ａ  固定アームの板当て突部
４Ｂ  固定アームの釘橋絡片
４ａ  固定アームの釘当て突面
５    開閉アーム
５Ａ  開閉アームの横溝
５ａ  開閉アームの釘当て突面
６    平行ガイド部材
７    ばね部材
８    ストッパ
９    トリガ部材
１０  カム部材
１１  カバー部材
１２  プーリ
Ｄ    二本の障害釘の内法間隔
Ｌ    所定出面寸法
Ｂ    可動光源
Ｐ    光源位置センサ
Ａ    現字表示体
Ｓ１  釘間隔データ信号
Ｓ２  釘間隔計数信号
【図１】
2004317287.tif 000003
【図２】
2004317287.tif 000004
【図３】
2004317287.tif 000005
【図４】
2004317287.tif 000006
【図５】
2004317287.tif 000007
【図６】
2004317287.tif 000008
【図７】
2004317287.tif 000009
【図８】
2004317287.tif 000010
【図９】
2004317287.tif 000011
【図１０】
2004317287.tif 000012
【図１１】
2004317287.tif 000013